(57)【要約】【課題】製本印刷時における最適な綴じ代（余白量）の値を、メディアタイプ毎に設定可能で、より高精度の製本印刷を行なうことが可能な情報処理装置を提供する。【解決手段】中綴じ製本印刷の指定を受け付け、予め設定された中綴じ製本印刷における余白調整量を記憶し、中綴じ製本印刷の指定を受け付けた場合に前記記憶された余白量に基づいて綴じ位置からの余白量を用紙単位で自動的に調整するように、ＣＰＵ１により制御する。【選択図】　　　図１
2004005468.tif 000002
【特許請求の範囲】
【請求項１】
中綴じ製本印刷が可能な印刷装置と通信可能な情報処理装置であって、
中綴じ製本印刷の指定を受け付ける受付手段と、
予め設定された中綴じ製本印刷における余白調整量を記憶する記憶手段と、
中綴じ製本印刷の指定を受け付けた場合に前記記憶手段に記憶された余白量に基づいて綴じ位置からの余白量を用紙単位で自動的に調整する余白調整手段と
を有することを特徴とする情報処理装置。
【請求項２】
前記印刷装置に収納されているメディアに関する情報を取得するメディア情報取得手段を有し、
前記記憶手段に記憶された余白調整量は、メディア毎に予め設定された値であり、
前記余白調整手段は、前記取得したメディア情報と前記記憶手段に記憶された余白調整量とに基づいて、綴じ位置からの余白量を用紙単位で自動的に調整することを特徴とする請求項１に記載の情報処理装置。
【請求項３】
前記記憶手段に記憶されたメディア毎の余白調整量は、メディアの厚さに基づいて設定された値であることを特徴とする請求項２に記載の情報処理装置。
【請求項４】
前記予め設定された余白調整量をメディア毎に変更可能な変更手段を有することを特徴とする請求項２に記載の情報処理装置。
【請求項５】
中綴じ製本印刷が可能な印刷装置と通信可能な情報処理装置の制御方法であって、
中綴じ製本印刷の指定を受け付ける受付工程と、
予め設定された中綴じ製本印刷における余白調整量を記憶する記憶工程と、
中綴じ製本印刷の指定を受け付けた場合に前記記憶工程で記憶された余白量に基づいて綴じ位置からの余白量を用紙単位で自動的に調整する余白調整工程と
を有することを特徴とする情報処理装置の制御方法。
【請求項６】
前記印刷装置に収納されているメディアに関する情報を取得するメディア情報取得工程を有し、
前記記憶工程で記憶された余白調整量は、メディア毎に予め設定された値であり、
前記余白調整工程は、前記取得したメディア情報と前記記憶工程で記憶された余白調整量とに基づいて、綴じ位置からの余白量を用紙単位で自動的に調整することを特徴とする請求項５に記載の情報処理装置の制御方法。
【請求項７】
前記記憶工程で記憶されたメディア毎の余白調整量は、メディアの厚さに基づいて設定された値であることを特徴とする請求項６に記載の情報処理装置の制御方法。
【請求項８】
前記予め設定された余白調整量をメディア毎に変更可能な変更工程を有することを特徴とする請求項６に記載の情報処理装置の制御方法。
【請求項９】
中綴じ製本印刷が可能な印刷装置と通信可能な情報処理装置を制御するためのコンピュータ読取可能な制御プログラムであって、
中綴じ製本印刷の指定を受け付ける受付工程と、予め設定された中綴じ製本印刷における余白調整量を記憶する記憶工程と、中綴じ製本印刷の指定を受け付けた場合に前記記憶工程で記憶された余白量に基づいて綴じ位置からの余白量を用紙単位で自動的に調整する余白調整工程とをコンピュータに実行させるためのプログラムコードから成ることを特徴とする情報処理装置の制御プログラム。
【請求項１０】
前記印刷装置に収納されているメディアに関する情報を取得するメディア情報取得工程をコンピュータに実行させるためのプログラムコードから成り、
前記記憶工程で記憶された余白調整量は、メディア毎に予め設定された値であり、
前記余白調整工程は、前記取得したメディア情報と前記記憶工程で記憶された余白調整量とに基づいて、綴じ位置からの余白量を用紙単位で自動的に調整することを特徴とする請求項９に記載の情報処理装置の制御プログラム。
【請求項１１】
前記記憶工程で記憶されたメディア毎の余白調整量は、メディアの厚さに基づいて設定された値であることを特徴とする請求項１０に記載の情報処理装置の制御プログラム。
【請求項１２】
前記予め設定された余白調整量をメディア毎に変更可能な変更工程をコンピュータに実行させるためのプログラムコードから成ることを特徴とする請求項１０に記載の情報処理装置の制御プログラム。
【請求項１３】
請求項９乃至１２に記載の制御プログラムを格納したことを特徴とする記憶媒体。
【請求項１４】
中綴じ製本印刷が可能な印刷装置と通信可能な情報処理装置であって、
中綴じ製本印刷の指定を受け付ける中綴じ製本印刷受付手段と、
中綴じ製本印刷における綴じ位置からの余白量を自動的に調整する指定を受け付ける余白量自動調整受付手段と、
中綴じ製本印刷の指定及び余白量の自動調整の指定を受けた場合に表紙及び裏表紙となる用紙以外の用紙の余白量を表紙及び裏表紙となる用紙の綴じ位置からの余白量に対して所定の値を段階的に減じた値とする余白調整手段と
を有することを特徴とする情報処理装置。
【請求項１５】
前記余白調整手段は、用紙の枚数に応じて余白量を調整することを特徴とする請求項１４に記載の情報処理装置。
【請求項１６】
前記余白調整手段は、用紙の種類に応じて余白量を調整することを特徴とする請求項１４に記載の情報処理装置。
【請求項１７】
中綴じ製本印刷が可能な印刷装置と通信可能な情報処理装置の制御方法であって、
中綴じ製本印刷の指定を受け付ける中綴じ製本印刷受付工程と、
中綴じ製本印刷における綴じ位置からの余白量を自動的に調整する指定を受け付ける余白量自動調整受付工程と、
中綴じ製本印刷の指定及び余白量の自動調整の指定を受けた場合に表紙及び裏表紙となる用紙以外の用紙の余白量を表紙及び裏表紙となる用紙の綴じ位置からの余白量に対して所定の値を段階的に減じた値とする余白調整工程と
を有することを特徴とする情報処理装置の制御方法。
【請求項１８】
前記余白調整工程は、用紙の枚数に応じて余白量を調整することを特徴とする請求項１７に記載の情報処理装置の制御方法。
【請求項１９】
前記余白調整工程は、用紙の種類に応じて余白量を調整することを特徴とする請求項１７に記載の情報処理装置の制御方法。
【請求項２０】
中綴じ製本印刷が可能な印刷装置と通信可能な情報処理装置を制御するためのコンピュータ読み取り可能な制御プログラムであって、
中綴じ製本印刷の指定を受け付ける中綴じ製本印刷受付工程と、中綴じ製本印刷における綴じ位置からの余白量を自動的に調整する指定を受け付ける余白量自動調整受付工程と、中綴じ製本印刷の指定及び余白量の自動調整の指定を受けた場合に表紙及び裏表紙となる用紙以外の用紙の余白量を表紙及び裏表紙となる用紙の綴じ位置からの余白量に対して所定の値を段階的に減じた値とする余白調整工程とをコンピュータに実行させるためのプログラムコードから成ることを特徴とする情報処理装置の制御プログラム。
【請求項２１】
前記余白調整工程は、用紙の枚数に応じて余白量を調整することを特徴とする請求項２０に記載の情報処理装置の制御プログラム。
【請求項２２】
前記余白調整工程は、用紙の種類に応じて余白量を調整することを特徴とする請求項２０に記載の情報処理装置の制御プログラム。
【請求項２３】
請求項２０乃至２２に記載の制御プログラムを格納したことを特徴とする記憶媒体。
【請求項２４】
中綴じ製本印刷が可能な印刷装置と、該印刷装置に印刷データを送信可能な情報処理装置から成る印刷システムであって、
前記情報処理装置は、
中綴じ製本印刷の指定を受け付ける受付手段と、
予め設定された製本印刷における余白調整量を記憶する記憶手段と、
中綴じ製本印刷の指定を受け付けた場合に、前記記憶手段に記憶された余白量に基づいて、綴じ位置からの余白量に関するコマンドを含む印刷データを生成する印刷データ生成手段と
を有し、
前記印刷装置は、
前記印刷データ生成手段で生成された印刷データを受け取る受け取り手段と、前記印刷データに前記コマンドが含まれていた場合に用紙毎に余白を調整した製本レイアウト処理を行なう製本レイアウト処理手段と
を有することを特徴とする印刷システム。
【発明の詳細な説明】
【０００１】
【発明が属する技術分野】
本発明は、中綴じ製本印刷が可能な印刷装置で中綴じ製本印刷の処理を行なう情報処理装置、情報処理装置の制御方法、制御プログラム及び前記印刷装置と前記情報処理装置とから成る印刷システムに関する。
【０００２】
【従来の技術】
従来、プリンタ（印刷装置）とパーソナルコンピュータ等のクライアント（情報処理装置）とから成る印刷システムは公知であるが、このような従来の印刷システムにおいて中綴じの製本印刷を行なう場合は、クライアント上で作成されたジョブを、プリンタドライバでページ順を変えたり、若しくはプリンタドライバから送られて来た先頭ページからのジョブを、プリンタ側でページ順を変えたりして、中綴じの製本印刷を行っていた。
【０００３】
下記特許文献１には、用紙を２つ折りした際の折り目の部分から印刷範囲までの余白部を綴じ代として設定可能な印刷レイアウト装置が開示されている。
【０００４】
この印刷レイアウト装置では、本公報の図７及び図８に示されているように、製本印刷時において綴じ代となる余白部分の設定を手動で行なうことが可能である。
【０００５】
【特許文献１】
特開平１１−０９９７２４号公報
【０００６】
【発明が解決しようとする課題】
しかしながら、こうした印刷レイアウト装置を含む印刷システムにおける綴じ代（余白量）の設定は、プリンタ側でもプリンタドライバ側でも製本印刷を行なう印刷ジョブの全ページに対して同様の設定しかできなかった。
【０００７】
また、手動で設定することによって非常に煩雑な作業をユーザに強いるものであった。
【０００８】
また、中綴じの製本を行なうと、製本に要する用紙の枚数が増加するにつれて、外側の用紙（表紙／裏表紙となる側）に対して内側の用紙がはみ出す。つまり、用紙の端部が階段状になってしまう。
【０００９】
こうした場合、見栄えを良くするために、端部をトリミングするが、内側の用紙ほどトリミングされる範囲が大きくなる。
【００１０】
印刷領域が全ての用紙において同一範囲の場合、つまり、綴じ代が全用紙同じであった場合には、トリミングを行なうと、内側の用紙ほど印刷領域が端部に寄ってしまい、場合によっては、印刷領域を含む範囲をトリミングしてしまうことも考えられる。
【００１１】
また、印刷する用紙（ｓｈｅｅｔ）の厚さや紙の剛性によって、用紙を折った際の折り目の幅が変化する。即ち、用紙の枚数だけでなく、用紙の厚さや剛性によっても綴じ代を考慮しなければならない。
【００１２】
特に、パンフレット等を印刷する場合は、一部の印刷の中で厚みの異なる複数種の用紙を用いることが多い。こうした場合、上記の印刷レイアウト装置により手動で余白量を調整したとしても、ページ毎に指定することができないため、厚い用紙において必要な余白量に調整してしまうと、薄い用紙の余白量が必要以上に増加する、という問題が生じていた。
【００１３】
更に、上記印刷レイアウト装置では、余白量を手動で調整するため、所望の綴じ代を得るために何度もテスト印刷を行なう必要が生じてしまい、用紙をムダにすることが考えられる。
【００１４】
本発明は、上述した従来技術の有する問題点を解消するためになされたもので、その目的は、製本印刷時における最適な綴じ代（余白量）の値を、メディアタイプ毎に設定可能で、より高精度の製本印刷を行なうことが可能な情報処理装置を提供することである。
【００１５】
【課題を解決するための手段】
上記目的を達成するために本発明の情報処理装置は、中綴じ製本印刷が可能な印刷装置と通信可能な情報処理装置であって、中綴じ製本印刷の指定を受け付ける受付手段と、予め設定された中綴じ製本印刷における余白調整量を記憶する記憶手段と、中綴じ製本印刷の指定を受け付けた場合に前記記憶手段に記憶された余白量に基づいて綴じ位置からの余白量を用紙単位で自動的に調整する余白調整手段とを有することを特徴とする。
【００１６】
【発明の実施の形態】
以下、本発明の各実施の形態について図面を参照して説明する。
【００１７】
本発明は、ダイナミックコンフィグレーション（ＤｙｎａｍｉｃＣｏｎｆｉｇｕｒａｔｉｏｎ）と言われる、印刷装置（プリンタ）の情報を双方向通信プロトコルでプリンタドライバが取得することが可能な印刷システムで、前記ドライバが使用する用紙のメディアの種類を取得した場合、予め算出されている綴じ代のずれ量を自動的に設定することによって、製本印刷におけるズレを発生させずに、より高精度の製本印刷を行なうことを可能にしたものである。
【００１８】
（第１の実施の形態）
まず、本発明の第１の実施の形態を、図１乃至図９を参照して説明する。
【００１９】
図１は、本発明の第１の実施の形態に係る印刷システムの構成を示すブロック図である。
【００２０】
尚、本発明の機能が実行されるのであれば、単体の機器であっても、複数の機器から成るシステムであっても、ＬＡＮ（ローカルエリアネットワーク）、ＷＡＮ（ワイドエリアネットワーク）等のネットワークを介して接続されて処理が行われるシステムであっても、本発明は適用可能である。
【００２１】
本実施の形態に係る印刷システムは、図１に示すように、情報処理装置であるホストコンピュータ１０１と、印刷装置であるプリンタ１０２とから成る。
【００２２】
尚、複数のホストコンピュータと複数の印刷装置とに、それぞれネットワークを介して接続されたサーバ装置を含むシステムであっても良い。
【００２３】
図１において、ホストコンピュータ１０１は、ＣＰＵ（中央演算処理装置）１、ＲＡＭ（ランダムアクセスメモリ）２、ＲＯＭ（リードオンリーメモリ）３、システムバス４、キーボードコントローラ（ＫＢＣ）５、ＣＲＴコントローラ（ＣＲＴＣ）６、ディスクコントローラ（ＤＫＣ）７、プリンタコントローラ（ＰＲＴＣ）８、キーボード（ＫＢ）９、ＣＲＴディスプレイ（ＣＲＴ）１０及び外部メモリ（ＨＤ，ＦＤ）１１を有している。
【００２４】
ＣＰＵ１は、ＲＯＭ３のプログラム用ＲＯＭ３ｂ或いは外部メモリ１１に記憶された文書処理プログラム等に基づいて、図形、イメージ、文字、表（表計算等を含む）等が混在した文書処理を実行するものであり、システムバス４に接続される各デバイスをＣＰＵ１が総括的に制御する。ＲＡＭ２は、ＣＰＵ１の主メモリ、ワークエリア等として機能する。ＲＯＭ３は、フォント用ＲＯＭ３ａ、プログラム用ＲＯＭ３ｂ及びデータ用ＲＯＭ３ｃを有している。このＲＯＭ３のプログラム用ＲＯＭ３ｂには、ＣＰＵ１の制御プログラムであるオペレーティングシステムプログラム（以下、ＯＳと記述する）等を記憶し、ＲＯＭ３のフォント用ＲＯＭ３ａには、前記文書処理の際に使用するフォントデータ等を記憶し、ＲＯＭ３のデータ用ＲＯＭ３ｃには、前記文書処理等を行なう際に使用する各種データを記憶する。
【００２５】
システムバス４は、ホストコンピュータ１０１の各構成要素を電気的に接続するものである。キーボードコントローラ５は、キーボード９や不図示のポインティングデバイスからのキー入力を制御する。ＣＲＴコントローラ６は、ＣＲＴディスプレイ１０の表示を制御する。ディスクコントローラ７は、ブートプログラム、各種のアプリケーション、フォントデータ、ユーザファィル、編集ファイル、プリンタ制御コマンド生成プログラム（以下、プリンタドライバと記述する）等を記憶する外部メモリ１１とのアクセスを制御する。プリンタコントローラ８は、双方向性のインターフェース２２を介してプリンタ１０２に接続されて、プリンタ１０２との通信制御処理を実行する。
【００２６】
キーボード９は、各種の情報を入力するもので、多数のキーを備えている。ＣＲＴディスプレイ１０は、情報を画面に表示するものである。外部メモリ１１は、ハードディスク（ＨＤ）或いはフロッピー（登録商標）ディスク（ＦＤ）等から成る。この外部メモリ１１には、ＣＰＵ１の制御プログラムであるＯＳ、前記文書処理の際に使用するフォントデータ及び前記文書処理等を行なう際に使用する各種データ等を記憶する。
【００２７】
尚、ＣＰＵ１は、例えば、ＲＡＭ２上に設定された表示情報ＲＡＭへのアウトラインフォントの展開（ラスタライズ）処理を実行し、ＣＲＴ１０上でのＷＹＳＩＷＹＧ（ｗｈａｔ　ｙｏｕ　ｓｅｅ　ｉｓ　ｗｈａｔ　ｙｏｕ　ｇｅｔ）を可能としている。また、ＣＰＵ１は、ＣＲＴ１０上の不図示のマウスカーソル等で指示されたコマンドに基づいて登録された種々のウインドウを開き、種々のデータ処理を実行する。ユーザは、印刷を実行する際に、印刷の設定に関するウインドウを開き、プリンタの設定や、印刷モードの選択を含むプリンタドライバに対する印刷処理方法の設定を行なえる。
【００２８】
プリンタ１０２は、ＣＰＵ１２、ＲＡＭ（ランダムアクセスメモリ）１３、ＲＯＭ（リードオンリーメモリ）１４、システムバス１５、入力部１６、印刷部インターフェース（Ｉ／Ｆ）１７、メモリコントローラ（ＭＣ）１８、印刷部（プリンタエンジン）１９、操作部２０及び外部メモリ２１を有している。
【００２９】
ＣＰＵ１２は、プリンタ１０２全体を制御するもので、ＲＯＭ１４のプログラム用ＲＯＭ１４ｂに記憶された制御プログラム等、或いは外部メモリ２１に記憶された制御プログラム等に基づいてシステムバス１５に接続される印刷部１９に出力情報としての画像信号を出力する。ＣＰＵ１２は、入力部１６を介してホストコンピュータ１０１との通信処理が可能となっており、プリンタ１０２内の情報等をホストコンピュータ１０１に通知することができる。ＲＡＭ１３は、ＣＰＵ１２の主メモリや、ワークエリア等として機能するもので、図示しない増設ポートに接続されるオプションＲＡＭによりメモリ容量を拡張することができるように構成されている。
【００３０】
ＲＡＭ１３は、出力情報展開領域、環境データ格納領域、ＮＶＲＡＭ（ｎｏｎｖｏｌａｔｉｌｅ　ｒａｎｄｏｍ　ａｃｃｅｓｓ　ｍｅｍｏｒｙ：不揮発性ランダムアクセスメモリ）等に用いられる。ＲＯＭ１４は、フォント用ＲＯＭ１４ａ、プログラム用ＲＯＭ１４ｂ及びデータ用ＲＯＭ１４ｃを有している。このＲＯＭ１４のプログラム用ＲＯＭ１４ｂには、ＣＰＵ１２の制御プログラム等を記憶する。ＲＯＭ１４のフォント用ＲＯＭ１４ａには、前記出力情報を生成する際に使用するフォントデータ等が記憶され、ＲＯＭ１４のデータ用ＲＯＭ１４ｃには、ハードディスク等の外部メモリ２１を備えていないプリンタの場合に、ホストコンピュータ上で利用される情報等が記憶されている。
【００３１】
システムバス１５は、プリンタ１０２の各構成要素を電気的に接続するものである。入力部１６は、各種情報を入力するためのもので、操作部２０において操作するためのスイッチ及びＬＥＤ（発光ダイオード）表示器等が配設されている。印刷部インターフェース１７は、印刷部１９と情報のやり取りを行なうものである。メモリコントローラ１８は、外部メモリ２１を制御するものである。印刷部１９は、印刷データを印刷用紙等に印刷して出力するものである。操作部２０は、プリンタ１０２を操作するためのものである。外部メモリ２１は、ハードディスク（ＨＤ）、或いはＩＣカード等から成り、メモリコントローラ１８によりアクセスを制御される。この外部メモリ２１は、オプションとして接続され、フォントデータ、エミュレーションプログラム及びフォームデータ等を記憶するために、或いは展開した印刷データのスプール用として使われる。
【００３２】
尚、外部メモリ２１は、１個に限らず、内蔵フォントを加えたオプションカード、展開した印刷データのスプール用メモリ、言語系の異なるプリンタ制御言語を解釈するプログラムを格納した外部メモリを複数個接続できるように構成しても良い。
【００３３】
更に、図示しないＮＶＲＡＭを有し、このＮＶＲＡＭに操作部２０からのプリンタモード設定情報を記憶するようにしても良い。
【００３４】
図２は、プリンタ等の印刷装置が直接接続されているか、或いはネットワーク経由で接続されているホストコンピュータ１０１における典型的な印刷処理部の構成を示すブロック図である。
【００３５】
図２において、アプリケーション２０１、グラフィックエンジン２０２、プリンタドライバ２０３、及びシステムスプーラ２０４は、ホストコンピュータ１０１の外部メモリ１１（図１参照）に保存されたファイルとして存在し、実行される場合に、ＯＳやそのモジュールを利用するモジュールによってホストコンピュータ１０１のＲＡＭ２（図１参照）にロードされて実行されるプログラムモジュールである。また、アプリケーション２０１及びプリンタドライバ２０３は、ホストコンピュータ１０１の外部メモリ１１のＦＤや不図示のＣＤ−ＲＯＭ、或いは不図示のネットワークを経由してホストコンピュータ１０１の外部ディスク１１のＨＤに追加することが可能となっている。また、外部メモリ１１に保存されているアプリケーション２０１は、ホストコンピュータ１０１のＲＡＭ２にロードされて実行されるが、このアプリケーション２０１からプリンタ１０２に対して印刷を行なう際には、同様にＲＡＭ２にロードされて実行可能となっているグラフィックエンジン２０２を利用して出力（描画）を行なう。
【００３６】
グラフィックエンジン２０２は、印刷装置毎に用意されたプリンタドライバ２０３を、同様にホストコンピュータ１０１の外部メモリ１１からＲＡＭ２にロードし、アプリケーション２０１の出力をプリンタドライバ２０３に設定する。そして、アプリケーション２０１から受け取るＧＤＩ（Ｇｒａｐｈｉｃ　Ｄｅｖｉｃｅ　Ｉｎｔｅｒｆａｃｅ）関数からＤＤＩ（Ｄｅｖｉｃｅ　Ｄｒｉｖｅｒ　Ｉｎｔｅｒｆａｃｅ）関数に変換して、プリンタドライバ２０３へＤＤＩ関数を出力する。プリンタドライバ２０３は、グラフィックエンジン２０２から受け取ったＤＤＩ関数に基づいて、プリンタ１０２が認識可能な制御コマンド、例えば、ＰＤＬ（Ｐａｇｅ　Ｄｅｓｃｒｉｐｔｉｏｎ　Ｌａｎｇｕａｇｅ）に変換する。該変換されたプリンタ制御コマンドは、ＯＳによってホストコンピュータ１０１のＲＡＭ２にロードされたシステムスプーラ２０４を経て、インターフェース２２（図１参照）経由でプリンタ１０２へ印刷データとして出力される仕組みとなっている。
【００３７】
本実施の形態に係る印刷システムは、図２で示すプリンタ１０２と、ホストコンピュータ１０１とから成る印刷システムに加えて、図３に示すように、プリケーションからの印刷データを一旦中間コードデータでスプールする構成を有する。
【００３８】
図３は、図２に示す印刷システムを拡張したもので、グラフィックエンジン２０２からプリンタドライバ２０３へ印刷命令を送る際に、一旦中間コードから成るスプールファイル３０３を生成する構成を採る。
【００３９】
図２に示す印刷システムでは、アプリケーション２０１が印刷処理から開放されるのは、プリンタドライバ２０３がグラフィックエンジン２０２からの全ての印刷命令をプリンタ１０２の制御コマンドへ変換し終った時点である。
【００４０】
これに対して、図３に示す印刷システムでは、スプーラ３０２が全ての印刷命令を中間コードデータに変換し、スプールファイル３０３に出力した時点である。通常、後者の方が短時間で済む。また、図３に示す印刷システムにおいては、スプールファィル３０３の内容に対して加工することができる。これにより、アプリケーションからの印刷データに対して、拡大縮小や、複数ページを１ページに縮小して印刷する等、アプリケーションの持たない機能を実現することができる。
【００４１】
これらの目的を達成するために、図２に示す印刷システムに対し、図３の様に中間コードデータでスプールする様に、印刷システムの拡張がなされてきている。
【００４２】
尚、印刷データの加工を行なうためには、通常、プリンタドライバ２０３が提供するウインドウから設定を行ない、プリンタドライバ２０３がその設定内容をホストコンピュータ１０１のＲＡＭ２上、或いは外部メモリ１１（図１参照）上に保管する。
【００４３】
以下、図３を詳細に説明する。
【００４４】
図３に示す通り、この拡張された処理方式では、グラフィックエンジン２０２からの印刷命令をディスパッチャ３０１が受け取る。該ディスパッチャ３０１がグラフィックエンジン２０２から受け取った印刷命令が、アプリケーション２０１からグラフィックエンジン２０２へ発行された印刷命令である場合には、ディスパッチャ３０１は、ホストコンピュータ１０１の外部メモリ１１（図１参照）に格納されているスプーラ３０２をホストコンピュータ１０１のＲＡＭ２にロードし、プリンタドライバ２０３ではなく、スプーラ３０２へ印刷命令を送付する。
【００４５】
スプーラ３０２は、受け取った印刷命令を中間コードに変換してスプールファイル３０３に出力する。また、スプーラ３０２は、プリンタドライバ２０３に対して設定されている印刷データに関する加工設定を、プリンタドライバ２０３から取得してスプールファイル３０３に保存する。
【００４６】
尚、スプールファイル３０３は、ホストコンピュータ１０１の外部メモリ１１上にファイルとして生成するが、ホストコンピュータ１０１のＲＡＭ２（図１参照）上に生成されても構わない。
【００４７】
スプーラ３０２は、ホストコンピュータ１０１の外部メモリ１１に格納されているスプールファイルマネージャ３０４をホストコンピュータ１０１のＲＡＭ２にロードし、スプールファイルマネージャ３０４に対してスプールファイル３０３の生成状況を通知する。その後、スプールファイルマネージャ３０４は、スプールファイル３０３に保存された印刷データに関する加工設定の内容に従って印刷を行なえるか否かを判断する。
【００４８】
スプールファイルマネージャ３０４がグラフィックエンジン２０２を利用して印刷を行なえると判断した際には、ホストコンピュータ１０１の外部メモリ１１に格納されているデスプーラ３０５をホストコンピュータ１０１のＲＡＭ２にロードし、デスプーラ３０５に対して、スプールファイル３０３に記述された中間コードの印刷処理を行なうように指示する。
【００４９】
デスプーラ３０５は、スプールファイル３０３に含まれる中間コードをスプールファイル３０３に含まれる加工設定の内容に従って加工し、再度グラフィックエンジン２０２経由で出力する。ディスパッチャ３０１がグラフィックエンジン２０２から受け取った印刷命令が、デスプーラ３０５からグラフィックエンジン２０２へ発行された印刷命令である場合には、ディスパッチャ３０１は、スプーラ３０２ではなくプリンタドライバ２０３に印刷命令を送る。プリンタドライバ２０３は、プリンタ制御コマンドを生成し、システムスプーラ２０４経由でプリンタ１０２へ出力する。
【００５０】
図４は、製本印刷における綴じ代の余白量算出処理動作の流れを示すフローチャートである。ここで、綴じ代とは、中綴じ製本印刷時に、１枚の用紙のセンターに対して左右に割り当てられる２ページの論理ページを印刷する印刷領域のセンターからの余白量を指すものである。
【００５１】
図５は、３０ｍｍの製本綴じ代が設定されている場合で、使用するメディアタイプがＰｌａｎｅである場合のレイアウトを示す図である。
【００５２】
図６は、プリンタドライバ２０３のユーザインターフェースで仕上げ設定を行なうＵＩ（ユーザインターフェース）の一例を示す図であり、同図において、６０１は製本印刷選択ボックス、６０２は製本詳細ボタン、６０３は中綴じのチェックボックスである。この図６に示す画面で、ユーザが所望のドキュメントに対して中綴じ製本印刷を指定する場合には、製本印刷選択ボックス６０１で製本印刷を選択し、更に、中綴じのチェックボックス６０３をチェックすることで、プリンタドライバ２０３は、中綴じ製本印刷の指定を受け付けることができる。
【００５３】
図７は、図６に示した基本設定画面において、製本印刷選択ボックス６０１で製本印刷を選択し、製本詳細ボタン６０２を押下した際に表示される製本詳細画面のＵＩ（ユーザインターフェース）の一例を示す図であり、同図において、７０１は詳細ボタン、７０２は“綴じ代を自動的に調整する”のチェックボックスである。この図７に示す画面で、ユーザが“綴じ代を自動的に調整する”のチェックボックス７０２をチェックすることで、プリンタドライバ２０３は、用紙単位にセンターからの余白量（綴じ代）を自動的に調整する指定を受け付けることができる。
【００５４】
図８は、図７に示す製本詳細画面において、詳細ボタン７０１を押下した場合に表示される詳細設定画面のＵＩ（ユーザインターフェース）の一例を示す図である。
【００５５】
図９は、メディアタイプ別に設定されている綴じ代の調整値を数値として纏めたテーブルの一例を示す図である。
【００５６】
以下、図４に示すフローチャートを、中心に図５から図９を用いて、本実施の形態に係る印刷システムについて詳細に説明する。
【００５７】
図４において、ステップＳ４０１で、ホストコンピュータ１０１とプリンタ１０２とが、ＳＮＭＰ等の双方向通信が可能なネットワーク（通信手段）を介して、情報のやり取りを行なう。
【００５８】
このとき、機器情報の取得のトリガは、プリンタドライバ２０３が行なっても良いし、プリンタ１０２に設けられたコントローラ等がトリガとなっても良い。また、機器情報の取得のタイミングは、ユーザがプリンタドライバ２０３のグラフィックユーザインターフェースから指示を行なったときでも良いし、また、プリンタ１０２の操作部２０等の操作から指示を行なったときでも良い。また、設定された時間毎に自動的に機器情報のやり取りを行なうという方法もある。これにより、プリンタドライバ２０３は、プリンタ１０２に収容されている印刷用紙のメディアタイプを取得することができる。取得したメディアタイプ情報は、ホストコンピュータ１０１のＲＡＭ２のデータ用ＲＯＭ３ｃ等に記憶させることが可能である。
【００５９】
尚、メディアタイプの取得については、プリンタ１０２が有するカセットやトレイ単位に行なうように構成し、ユーザは、印刷実行時にメディアを指定するのではなく、製本印刷を所望するメディアが収納されているカセットやトレイを指定するようなＵＩ（ユーザインターフェース）を設けても良い。
【００６０】
ホストコンピュータ１０１上でプリント実行命令が指示されると、図３に示すアプリケーション２０１からＧＤＩ（Ｃｒａｐｈｉｃｓ　Ｄｅｖｉｃｅ　Ｉｎｔｅｒｆａｃｅ）を経由して印刷データが送られる。ここで、ステップＳ４０２で、図６に示したプリンタドライバ２０３のＵＩ（ユーザインターフェース）において中綴じ製本印刷が選択されていると、図３のディスパッチャ３０１は、送られて来た印刷データを一度スプールファイル３０３として記憶する。これは、中綴じ製本印刷を行なうためのページの並べ替えや、後述する綴じ代（余白量）等を反映したレイアウトを作成するためである。
【００６１】
次に、ステップＳ４０３で、プリンタドライバ２０３のＵＩから”綴じ代を自動的に調整する”が選択されているか否かをチェックする。ここで、”綴じ代を自動的に調整する”が選択されていない場合は、ステップＳ４０５の処理へ移り、図７に示す”製本綴じ代”で設定されている値を固定値として、製本印刷のレイアウトが作成され、その後、ステップＳ４０６へ進む。
【００６２】
また、前記ステップＳ４０３において、”綴じ代を自動的に調整する”が選択されている場合は、ステップＳ４０４の処理へ進む。このとき、前述した方法で取得したメディアタイプと、プリンタドライバ２０３に予め登録されているメディアタイプ毎の綴じ代調整量を表わした後述するテーブル（図９）を参照して、自動的に綴じ代の調整値を算出し、その後、ステップＳ４０６へ進む。
【００６３】
尚、図４には記載していないが、メディアを収納する複数の給紙部を有するプリンタが接続されている場合は、ユーザは、製本印刷を実行する際に、所望するメディアが収納されたカセットやトレイを指定することができる。
【００６４】
上述のメディアタイプ取得において、第１の給紙部にはＰｌａｉｎが収納され、第２の給紙部にはＢｏｎｄ　Ｐａｐｅｒが収納されているというように、給紙部と、それに収納されているメディアとを関連付けて取得し、記憶しておけば良い。
【００６５】
これにより、プリンタドライバ２０３は、ユーザが不図示のＵＩ等により給紙部を指定することで、自動的に製本印刷を行なうメディアをプリンタドライバ２０３は特定することができる。
【００６６】
ステップＳ４０６では、印刷データが印刷部１９により印刷され、その後、本処理動作を終了する。
【００６７】
図９は、メディアタイプ毎に設定されている綴じ代の調整値を数値として表したテーブルの一例を示す図である。この図９に示すメディアタイプ毎の調整値は、プリンタを販売している会社から推奨されている用紙を使用して、実際に論理ページのレイアウトをどの程度ずらすと、製本時にページ毎のイメージがずれずに印刷できるかを実際に測定して算出した値である。
【００６８】
図９に示すテーブルを見れば明らかであるが、用紙の厚さが薄いもの（例えば、Ｔｈｉｎ　Ｐａｐｅｒ）ほど綴じ代の調整値は小さく、厚いメディアほど綴じ代の調整値は大きくなる。
【００６９】
図６は、プリンタドライバ２０３のユーザインターフェースから、製本印刷を選択するＵＩ（ユーザインターフェース）の一例を示す図であり、図７は、プリンタドライバ２０３のユーザインターフェースから、”綴じ代を自動的に調整する”を選択するＵＩ（ユーザインターフェース）の一例を示す図である。
【００７０】
次に、上述した処理によって、綴じ代をページ毎に変更することによって、ページのレイアウトがどのように変化するかを、図５を用いて詳細に説明する。
【００７１】
まず、この図５に示されているページレイアウトであるが、これには、以下の設定がプリンタドライバ２０３のＵＩから選択されている必要がある。
【００７２】
▲１▼図６のＵＩから、製本印刷が選択されている。
【００７３】
▲２▼図７のＵＩから、”製本綴じ代”として３０ｍｍが設定されている。
【００７４】
▲３▼図７のＵＩから、”綴じ代を自動的に調整する”が選択されている。
【００７５】
▲４▼プレーン（Ｐｌａｎｅ）というメディアタイプの用紙が選択されている。
【００７６】
▲５▼図８のＵＩから、プレーン（Ｐｌａｎｅ）の綴じ代の調整量として０．０００４５ｍｍが設定されている。
【００７７】
製本印刷を行なうためには、まず、ページの並べ替えが必要である。つまり、製本印刷が選択されると、用紙の１ページ目の表面にはオリジナル原稿（論理ページ）の２ページ目と１１ページ目が、また、用紙の１ページ目の裏面には、オリジナル原稿（論理ページ）の１ページ目と１２ページ目がそれぞれ印刷される。同様に、用紙の２ページ目の表面には、オリジナル原稿（論理ページ）の４ページ目と９ページ目が、また、用紙の２ページ目の裏面には、オリジナル原稿（論理ページ）の３ページ目と１０ページ目が、それぞれ印刷される。
【００７８】
同様に、用紙の３ページ目の表面には、オリジナル原稿（論理ページ）の６ページ目と７ページ目が、用紙の３ページ目の裏面には、オリジナル原稿（論理ページ）の５ページ目と８ページ目が、それぞれ印刷される。
【００７９】
ここで、用紙の１ページ目の表面に位置するオリジナル原稿の２ページ目と１１ページ目は、図５（ａ）に示すように、用紙のセンターから３０ｍｍ離れたところにレイアウトされる。これは、図７に示したプリンタドライバＵＩの製本詳細画面における”製本綴じ代”の設定値として３０ｍｍが設定されているからである。
【００８０】
次に、用紙の２ページ目の表面に位置するオリジナル原稿の４ページ目と９ページ目であるが、これらのページは、図５（ｂ）に示すように、用紙のセンターから「３０ｍｍ−０．０００４５ｍｍ」離れたところにレイアウトされる。これは、製本されて中綴じされた場合に、２ページ目が１ページ目より物理的に本の内側に位置するため、用紙の厚さ分だけ外側のページより綴じ代を小さくしないと、レイアウトがずれてしまうためである。３ページ目も同様で、図５（ｃ）に示すように、用紙のセンターから「３０ｍｍ−（０．０００４５×２ｍｍ）」離れたところにレイアウトされる。
【００８１】
図５（ａ），（ｂ）において斜線が引かれている箇所は、中綴じしてセンターで折られた際に折り幅の影響で、内側の用紙が外側の用紙（１ページ目）に対してはみ出している部分である。そのため、製本印刷後に１ページ目に対してはみ出している部分を切断すれば、レイアウトが揃った非常に高精度の冊子を作成することができる。
【００８２】
以上の処理により、メディアタイプ情報を元に、製本印刷時の綴じ代を自動的に算出することが可能になるので、用紙の厚さに応じた綴じ代の自動調整が可能となり、より高精度の製本印刷が可能となる。
【００８３】
尚、本実施の形態では、複数のメディアタイプにおける綴じ代の調整量をテーブルとして保持し、製本印刷に指定されたメディアに応じて調整量を変更していたが、メディアによる調整量の変更は行なわず、用紙の枚数に基づく変更を行なうことも可能である。これは、製本印刷に利用できるメディアタイプが１種類程度しか存在しないような印刷システムや、複数のメディアタイプ毎の綴じ代の調整量をテーブルとして保持しないような印刷システムにおいて適用することで、高精度な中綴じ製本印刷を行なうことが可能となるものである。
【００８４】
具体的には、製本時に外側となる用紙（表紙／背表紙となる用紙）を１枚目とした場合、１枚目の綴じ代は、図７に示した製本綴じ代の設定値を適用する。次に、２枚目の用紙には、製本綴じ代の設定値から予め設定された調整量を引いた値を綴じ代として設定する。３枚目の用紙には、製本綴じ代の設定値から上記調整量に２を乗じた値を綴じ代として設定する。
【００８５】
即ち、製本綴じ代の設定値を３０ｍｍ、予め設定された調整量を０．０００４５ｍｍ、印刷する用紙の枚数をＮとし、製本時に最も外側になる用紙（表紙／背表紙となる用紙）を１枚目としてカウントした場合、Ｎ枚目の用紙の綴じ代Ｓは、下記式（１）に基づいて算出されることになる。
【００８６】
Ｎ枚目の綴じ代Ｓ＝３０ｍｍ−｛０．０００４５ｍｍ×（Ｎ−１）｝…（１）
このように、メディアタイプ毎に設定された綴じ代の調整テーブルを保有しない印刷システムにおいては、製本印刷を行なう用紙の枚数に基づいて、各用紙の綴じ代の値を調整し、レイアウトに優れた製本印刷を行なうことができる。
【００８７】
（第２の実施の形態）
次に、本発明の第２の実施の形態について説明する。
【００８８】
尚、本実施の形態においては、上述した第１実施の形態における図８を流用して説明する。
【００８９】
上述した第１の実施の形態では、メディアタイプ別に予め算出された綴じ代の調整量を使用して製本印刷を行ったが、本実施の形態では、ユーザが任意に綴じ代の調整量の変更を行なえるようにしたものである。
【００９０】
尚、本実施の形態として以下に説明する内容以外は、上述した第１の実施の形態と同様であるので、ここでは、その説明を省略する。
【００９１】
図８は、図７に示した製本詳細画面において、詳細ボタン７０２を押下した場合に表示される詳細設定画面のＵＩ（ユーザインターフェース）の一例を示す図であるが、この図８においては、綴じ代の調整量のデフォルト値がメディアタイプ別に表示されている。
【００９２】
ここでいうデフォルト値とは、測定によって算出した綴じ代の調整量のことである。
【００９３】
しかしながら、綴じ代の調整量は非常に僅かな値であるうえに、オフィスの環境、例えば、湿度とか温度によっても若干の影響を受ける可能性がある。
【００９４】
このような場合に本実施の形態は有効であって、製本印刷時のレイアウトがデフォルトの調整値では良好に揃わない場合には、図８に示すＵＩから、綴じ代の調整量を任意に変更することによって、ユーザの所望するレイアウトの調整が行なえるようになる。
【００９５】
（第３の実施の形態）
次に、本発明の第３の実施の形態を説明する。
【００９６】
上述した第１及び第２の実施の形態では、製本印刷時には全ページ同一の用紙（メディア）を利用し、その状況においてメディアタイプに応じた綴じ代の調整を自動的または手動で行なうようにしたものである。
【００９７】
それに対して、本実施の形態では、製本印刷を行なうメディアが複数種混在している場合に綴じ代の調整を行なうようにしたものである。
【００９８】
尚、本実施の形態で以下に説明する内容以外は、上述した第１の実施の形態と同様であるので、ここでは、その説明を省略する。
【００９９】
図１０は、本実施の形態に係る印刷システムにおいて、製本印刷で使用するメディアが複数混在している場合の綴じ代の調整量を示す図である。
【０１００】
図１０（ａ）は、中綴じ製本印刷される１枚目（表紙／背表紙となる用紙）がＰｌａｉｎ（プレーン）であり、図１０（ｂ）は、２枚目がＢｏｎｄ　Ｐａｐｅｒ（ボンドペーパー）であり、図１０（ｃ）は、３枚目がＰｌａｉｎであることを示している。
【０１０１】
ここで、製本綴じ代の設定値は、上述した第１の実施の形態と同様に３０ｍｍであり、各メディアに対して設定された調整量は、図９に示す内容と同一であるものとする。
【０１０２】
まず、１枚目の綴じ代は、製本綴じ代の設定値である３０ｍｍが適用される。これにより、用紙のセンターに対して３０ｍｍ離れた位置が印刷領域（Ｐａｇｅ２及びＰａｇｅ１１として枠で囲まれている領域を指す）の用紙センター側端部となり、論理ページの２ページ目と１１ページ目がそれぞれ印刷される。
【０１０３】
次に、２枚目の綴じ代は、製本綴じ代の設定値３０ｍｍから１枚目のメディアであるＰｌａｉｎの調整値である０．０００４５ｍｍを減じた値が設定される。これにより、用紙のセンターに対して（３０ｍｍ−０．０００４５ｍｍ）離れた位置が印刷領域の用紙センター側端部となり、論理ページの４ページ目と９ページ目がそれぞれ印刷される。
【０１０４】
次に、再びＰｌａｉｎを利用する３枚目の綴じ代は、２枚目の綴じ代から更に２枚目のメディアであるＢｏｎｄ　Ｐａｐｅｒの綴じ代調整量である０．００１２０ｍｍを減じた値が設定されることになる。これにより、用紙のセンターに対して（３０ｍｍ−０．０００４５ｍｍ−０．００１２０ｍｍ）離れた位置が印刷領域の用紙センター側端部となり、論理ページの６枚目と７枚目がそれぞれ印刷されることになる。
【０１０５】
これにより、中綴じ製本印刷で使用されるメディアが複数のタイプで混在している場合においても、そのタイプに影響されることなく、高精度な製本レイアウトを実現することができる。
【０１０６】
尚、このようなメディア混在型の製本印刷を実現するにあたっては、プリンタドライバ２０３のＵＩで、複数のメディアタイプ、または異なるメディアを収納したカセットをそれぞれのページに対して指定することが可能であることが前提となる。
【０１０７】
（第４の実施の形態）
次に、本発明の第４の実施の形態を、図１１及び図１２を用いて説明する。
【０１０８】
尚、本実施の形態に係る印刷システムの基本的な構成は、上述した第１の実施の形態における図１乃至図３と同一であるから、これら各図を流用して説明する。
【０１０９】
上述した記第１及び第２の実施の形態では、製本印刷におけるレイアウト変更をホストコンピュータ１０１のプリンタドライバ２０３で行なったが、本実施の形態は、これをプリンタ１０２側で行なうようにしたものである。
【０１１０】
以下、プリンタドライバ２０３は、製本印刷に必要な情報をＰＪＬ　Ｃｏｍｍａｎｄ「ＰＣＬ（Ｐｒｉｎｔｅｒ　Ｃｏｍｍａｎｄ　Ｌａｎｇｕａｇｅ：プリンタ制御言語）で定義されているコマンド」でプリンタ１０２に通達し、実際のレイアウト調整は、プリンタ１０２で行なう場合の制御方法について、図１１を用いて説明する。
【０１１１】
図１１は、本実施の形態に係る印刷システムにおけるプリンタ１０２側で製本印刷を行なう処理動作の流れを示すフローチャートである。
【０１１２】
図１１のステップＳ１１０１で、ホストコンピュータ１０１とプリンタ１０２とが、ＳＮＭＰ等の双方向通信が可能なネットワークを介して、情報のやり取りを行なう。このとき、機器情報の取得のトリガは、プリンタドライバ２０３が行っても良いし、プリンタ１０２がトリガとなっても良い。また、機器情報の取得のタイミングは、ユーザがプリンタドライバ２０３のグラフィックユーザインターフェースから指示を行ったときでも良いし、また、プリンタ１０２の操作部２０等の操作から指示を行なったときでも良い。勿論、設定された時間毎に自動的に機器情報のやり取りを行なうという方法もある。これにより、プリンタドライバ２０３は、プリンタ１０２に給紙されている用紙のメディアタイプを知ることができる。
【０１１３】
ホストコンピュータ１０１上でプリント実行命令が指示されると、図３に示すアプリケーション２０１からＧＤＩ（Ｃｒａｐｈｉｃｓ　Ｄｅｖｉｃｅ　Ｉｎｔｅｒｆａｃｅ）を経由して印刷データが送られて来る。ここで、ステップＳ１１０２において、プリンタドライバ２０３のＵＩ（ユーザインターフェース）から製本印刷が選択されていない場合は、ステップＳ１１０６へ進む。また、ステップＳ１１０２において、プリンタドライバ２０３のＵＩ（ユーザインターフェース）から中綴じ製本印刷が選択されている場合は、プリンタドライバ２０３は、図１２に示すＰＪＬ　Ｃｏｍｍａｎｄを用いて、中綴じ製本印刷が選択されたことをプリンタ１０２に対して通知した後（＠ＰＪＬＣＯＭＭＥＮＴＣＡＮＰＪＬＳＥＴＢＯＯＫＬＥＴ＝ＯＮは、製本印刷が指示されたことを示すコマンド）、ステップＳ１１０３で、プリンタドライバ２０３のＵＩから”綴じ代を自動的に調整する”が選択されているか否かを判断する。
【０１１４】
そして、プリンタドライバ２０３のＵＩから”綴じ代を自動的に調整する”が選択されている場合は、ステップＳ１１０４へ進んで、前記ステップＳ１１０１において取得したメディアタイプの綴じ代の調整量を、ＰＪＬ　Ｃｏｍｍａｎｄを用いて製本印刷における綴じ代の調整量をプリンタ１０２に通知し（＠ＰＪＬＣＯＭＭＥＮＴＣＡＮＰＪＬＳＥＴＧＡＰ＝０００４５は、綴じ代の調整量を示すコマンドで、０．０００４５ｍｍをページ毎にずらすという意味である。）、その後、ステップＳ１１０６へ進む。
【０１１５】
また、前記ステップＳ１１０３において、プリンタドライバ２０３のＵＩから”綴じ代を自動的に調整する”が選択されていない場合は、ステップＳ１１０５へ進んで、ＰＪＬ　Ｃｏｍｍａｎｄを用いて製本印刷における綴じ代の調整量がゼロ（０）であることをプリンタ１０２に通知した後、ステップＳ１１０６へ進む。
【０１１６】
尚、これらのコマンドは、ＰＤＬのコメントとして記述されているため、仮にこの機能をサポートしていないプリンタに、このジョブが誤って送られたとしても、プリンタ１０２が誤動作を起こすことはない。
【０１１７】
ステップＳ１１０６では、プリンタドライバ２０３は、ＰＤＬデータをプリンタ１０２に転送し、次のステップＳ１１０７で、プリンタ１０２が、これらのＰＪＬ　Ｃｏｍｍａｎｄをプリンタドライバ２０３から受け取ると、プリンタ１０２のハードディスク上に展開されたページ毎の画像データに対して、ページの並べ替えや、綴じ代の調整を考慮に入れた出力用レイアウト処理を行なう。そして、製本印刷のレイアウト処理が行なわれたプリントイメージをプリンタエンジンに対して送ることにより、プリンタドライバ２０３で製本印刷を行なう場合と全く同じ印刷出力が行なえる。
【０１１８】
このように、ホストコンピュータ１０１としての情報処理装置とプリンタ１０２としての印刷装置とから成る印刷システムにおいて、綴じ代の調整をプリンタ１０２側で行なうことも可能である。
【０１１９】
（その他の実施の形態）
上述した実施の形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出して実行することによっても、本発明が達成されることは言うまでもない。
【０１２０】
この場合、記憶媒体から読み出されたプログラムコード自体が上述した実施の形態の機能を実現することになり、そのプログラムコードを記憶した記憶媒体は本発明を構成することになる。
【０１２１】
また、プログラムコードを供給するための記憶媒体としては、例えば、ＲＡＭ、ＮＶ−ＲＡＭ、フロッピー（登録商標）ディスク、ハードディスク、光ディスク、光磁気ディスク、ＭＯ、ＣＤ−ＲＯＭ、ＣＤ−Ｒ、ＣＤ−ＲＷ、ＤＶＤ（ＤＶＤ−ＲＯＭ、ＤＶＤ−Ｒ、ＤＶＤ−ＲＷ等）、磁気テープ、不揮発性のメモリカード、他のＲＯＭ等の上記プログラムコードを記憶できるものであれば良く、或いはネットワークを介したダウンロード等を用いることができる。
【０１２２】
また、コンピュータが読み出したプログラムコードを実行することにより、上述した実施の形態の機能が実現されるだけでなく、そのプログラムコードの指示に基づき、コンピュータ上で稼動しているＯＳ（オペレーティングシステム）等が実際の処理の一部または全部を行ない、その処理によって上述した実施の形態の機能が実現される場合も含まれることは言うまでもない。
【０１２３】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行ない、その処理によって上述した実施の形態の機能が実現される場合も含まれることは言うまでもない。
【０１２４】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない
【０１２５】
【発明の効果】
以上説明したように本発明によれば、製本印刷時における最適な綴じ代（余白量）の値を、メディアタイプ毎に設定することが可能になるので、より高精度の製本印刷を行なうことが可能になる。
【図面の簡単な説明】
【図１】本発明の第１の実施の形態に係る印刷システムの構成を示すブロック図である。
【図２】本発明の第１の実施の形態に係る印刷システムにおけるホストコンピュータの典型的な印刷データ生成部の印刷データ生成方法を説明するためのブロック図である。
【図３】本発明の第１の実施の形態に係る印刷システムにおけるホストコンピュータの中間コードを生成する印刷データ生成部の印刷データ生成方法を説明するためのブロック図である。
【図４】本発明の第１の実施の形態に係る印刷システムにおける、製本印刷時の綴じ代の調整量算出処理動作の流れを示すフローチャートである。
【図５】本発明の第１の実施の形態に係る印刷システムにおいて、３０ｍｍの製本綴じ代が設定されている場合で、使用するメディアタイプがプレーン（Ｐｌａｎｅ）である場合の処理を示す図である。
【図６】本発明の第１の実施の形態に係る印刷システムにおけるプリンタドライバのユーザインターフェースから、製本印刷を選択する基本設定画面のＵＩの一例を示す図である。
【図７】図６に示す基本設定画面において製本印刷及び中綴じを指定し、製本詳細ボタンを押下したときに表示される製本詳細画面のＵＩの一例を示す図である。
【図８】図７に示す製本詳細画面において詳細ボタンを押下したときに表示される詳細画面のＵＩの一例を示す図である。
【図９】本発明の第１の実施の形態に係る印刷システムにおけるメディアタイプ別に設定されている綴じ代の調整量を数値として纏めた表の一例を示す図である。
【図１０】本発明の第３の実施の形態に係る印刷システムにおいて、３０ｍｍの製本綴じ代が設定されている場合で、プレーン（Ｐｌａｉｎ）とボンドペーパー（Ｂｏｎｄ　Ｐａｐｅｒ）が混在している場合のレイアウト処理を示す図である。
【図１１】本発明の第４の実施の形態に係る印刷システムにおけるプリンタ側で製本印刷のレイアウトを行なう場合の制御動作の流れを示すフローチャートである。
【図１２】本発明の第４の実施の形態に係る印刷システムにおけるプリンタ側で製本印刷のレイアウトを行なう場合の、プリンタドライバと出力エンジンとの間のインターフェースの一例をコマンドレベルで示す図である。
【符号の説明】
１　　　　ＣＰＵ
２　　　　ＲＡＭ
３　　　　ＲＯＭ
３ａ　　　フォント用ＲＯＭ
３ｂ　　　プログラム用ＲＯＭ
３ｃ　　　データ用ＲＯＭ
４　　　　システムバス
５　　　　キーボードコントローラ（ＫＢＣ）
６　　　　ＣＲＴコントローラ（ＣＲＴＣ）
７　　　　ディスクコントローラ（ＤＫＣ）
８　　　　プリンタコントローラ（ＰＲＴＣ）
９　　　　キーボード（ＫＢ）
１０　　　ＣＲＴディスプレイ（ＣＲＴ）
１１　　　外部メモリ（ＨＤ，ＦＤ）
１２　　　ＣＰＵ
１３　　　　ＲＡＭ
１４　　　　ＲＯＭ
１４ａ　　　フォント用ＲＯＭ
１４ｂ　　　プログラム用ＲＯＭ
１４ｃ　　　データ用ＲＯＭ
１５　　　　システムバス
１６　　　　入力部
１７　　　　印刷部Ｉ／Ｆ
１８　　　　メモリコントローラ（ＭＣ）
１９　　　　印刷部
２０　　　　操作部
２１　　　　外部メモリ
１０１　　　ホストコンピュータ
１０２　　　プリンタ
２０１　　　アプリケーション
２０２　　　グラフィックエンジン
２０３　　　プリンタドライバ
２０４　　　システムスプーラ
３０１　　　ディスパッチャ
３０２　　　スプーラ
３０３　　　スプールファイル
３０４　　　スプールファイルマネージャ
３０５　　　デスプーラ
【図１】
2004005468.tif 000003
【図２】
2004005468.tif 000004
【図３】
2004005468.tif 000005
【図４】
2004005468.tif 000006
【図５】
2004005468.tif 000007
【図６】
2004005468.tif 000008
【図７】
2004005468.tif 000009
【図８】
2004005468.tif 000010
【図９】
2004005468.tif 000011
【図１０】
2004005468.tif 000012
【図１１】
2004005468.tif 000013
【図１２】
2004005468.tif 000014